(57)【要約】      （修正有）【課題】スプレーノズルの駆動源としての圧縮空気源を利用して、薬液を計量できるようにし、これにより計量用の電動機（モータ）を省略する。【解決手段】薬液タンク２を第１電磁弁１１によって密閉状態の薬液３の計量タンク４に接続し、計量器タンク４の上部および下部を切り換え用の第２電磁弁１２の２つの入力ポートに接続し、第２電磁弁１２の１つの出力ポートをスプレーノズル５の薬液取り込み用のポート６に接続するとともに、圧縮空気源１０を第３電磁弁１３によってスプレーノズル５の圧縮空気取り込み用のポート７に接続し、計量器タンク４の位置で薬液３の計量レベルを検出するレベルセンサー８を電磁弁操作用の制御器１４に接続して、定量噴霧装置１を構成する。【選択図】図１
2006320799.tif 000002
【特許請求の範囲】
【請求項１】
薬液タンク（２）を第１電磁弁（１１）により密閉状態の薬液（３）の計量器タンク（４）に接続し、計量器タンク（４）の上部および下部を切り換え用の第２電磁弁（１２）の２つの入力ポートに接続し、第２電磁弁（１２）の１つの出力ポートをスプレーノズル（５）の薬液取り込み用のポート（６）に接続すると共に、圧縮空気源（１０）を第３電磁弁（１３）によりスプレーノズル（５）の圧縮空気取り込み用のポート（７）に接続し、計量器タンク（４）の位置で薬液（３）の計量レベルを検出するレベルセンサー（８）を電磁弁操作用の制御器（１４）に接続してなり、
薬液（３）の計量時に、第１電磁弁（１１）を開き、第２電磁弁（１２）を切り換えてから、第３電磁弁（１３）を開いてスプレーノズル（５）から圧縮空気（９）を噴射することにより、スプレーノズル（５）内に発生する負圧により、薬液タンク（２）内の薬液（３）を計量器タンク（４）内に引き込み、計量器タンク（４）内の薬液（３）の計量レベルをレベルセンサー（８）により検出したとき、制御器（１４）により第１電磁弁（１１）を閉じ、第２電磁弁（１２）を切り換えることによって、計量器タンク（４）内への薬液（３）の引き込みを停止し、この時点以後、スプレーノズル（５）内に発生する負圧により、計量後の薬液（３）をスプレーノズル（５）内に引き込み、スプレーノズル（５）から所定量の薬液（３）を噴霧することを特徴とする定量噴霧装置（１）。
【請求項２】
制御器（１４）の時間動作制御機能により薬液（３）の計量・噴霧を所定の周期で実行することを特徴とする請求項１記載の定量噴霧装置（１）。
【請求項３】
第１電磁弁（１１）を大気に開放可能な電磁弁により構成することを特徴とする請求項１記載の定量噴霧装置（１）。
【請求項４】
第２電磁弁（１２）を計量器タンク（４）に対して接続を切り換える三方弁により構成することを特徴とする請求項１記載の定量噴霧装置（１）。
【発明の詳細な説明】
【技術分野】
【０００１】
本発明は、薬液を計量して、所定量の薬液を噴霧する装置に関する。
【背景技術】
【０００２】
定量噴霧では、計量手段と、噴霧手段とが必要である。例えば特許文献１は、計量手段としてポンプ・電動機（モータ）と、噴霧手段として圧縮空気源・ノズルを有している。特許文献１の技術によると、異なる２つの駆動源として電動機（モータ）と圧縮空気源とが不可欠となるため、その装置の構成が複雑となり、また計量のために電動機（モータ）の特別な制御（回転量制御）が必要となる。
【０００３】
【特許文献１】特開２０００−４２４５６公報
【発明の開示】
【発明が解決しようとする課題】
【０００４】
したがって、本発明の課題は、スプレーノズルの駆動源としての圧縮空気源を利用して、薬液を計量できるようにし、これにより計量用の電動機（モータ）を省略できるようにすることである。
【課題を解決するための手段】
【０００５】
上記の課題のもとに、本発明は、薬液タンク（２）を第１電磁弁（１１）により密閉状態の薬液（３）の計量タンク（４）に接続し、計量器タンク（４）の上部および下部を切り換え用の第２電磁弁（１２）の２つの入力ポートに接続し、第２電磁弁（１２）の１つの出力ポートをスプレーノズル（５）の薬液取り込み用のポート（６）に接続すると共に、圧縮空気源（１０）を第３電磁弁（１３）によりスプレーノズル（５）の圧縮空気取り込み用のポート（７）に接続し、計量器タンク（４）の位置で薬液（３）の計量レベルを検出するレベルセンサー（８）を電磁弁操作用の制御器（１４）に接続して、定量噴霧装置（１）を構成している。
【０００６】
電磁弁操作用の制御器（１４）は、薬液（３）の計量時に、第１電磁弁（１１）を開き、第２電磁弁（１２）を切り換えてから、第３電磁弁（１３）を開いてスプレーノズル（５）から圧縮空気（９）を噴射することにより、スプレーノズル（５）内に発生する負圧により、薬液タンク（２）内の薬液（３）を計量器タンク（４）内に引き込み、計量器タンク（４）内の薬液（３）の計量レベルをレベルセンサー（８）により検出したとき、制御器（１４）により第１電磁弁（１１）を閉じ、第２電磁弁（１２）を切り換えることによって、計量器タンク（４）内への薬液（３）の引き込みを停止し、この時点以後、スプレーノズル（５）内に発生する負圧により、計量後の薬液（３）をスプレーノズル（５）内に引き込み、スプレーノズル（５）から所定量の薬液（３）を噴霧する。
【０００７】
制御器（１４）は、その時間動作制御機能により薬液（３）の計量・噴霧を所定の周期で実行する。第１電磁弁（１１）は大気に開放可能な電磁弁により構成され、また第２電磁弁（１２）は計量器タンク（４）に対して接続を切り換える三方弁により構成される。
【発明の効果】
【０００８】
本発明によると、薬液（３）の計量に当たって、薬液タンク（２）内の薬液（３）を計量器タンク（４）内に引き込むときに、圧縮空気（９）によりスプレーノズル（５）内に発生する負圧を利用するから、電動機（モータ）やその回転量の制御が不要となり、その分構成が簡単となり、装置が安価となる。
【０００９】
制御器（１４）が薬液（３）の計量・噴霧を所定の周期で実行すると、倉庫、食品工場や地下空間などでの害虫駆除が自動化できる。第１電磁弁（１１）が大気に開放可能な電磁弁により構成され、また第２電磁弁（１２）が計量器タンク（４）に対して接続を切り換える三方弁により構成されると、制御や構成が簡単になる。
【発明を実施するための最良の形態】
【００１０】
図１は本発明に係る定量噴霧装置１を示している。定量噴霧装置１は、薬液タンク２を第１電磁弁１１により薬液３の密閉状態の計量タンク４に接続し、計量器タンク４の上下部接続切り換え用の第２電磁弁１２の２つの入力ポートに接続し、第２電磁弁１２の１つの出力ポートをスプレーノズル５の薬液取り込み用のポート６に接続するとともに、圧縮空気源１０をエアーフイルタ１５、第３電磁弁１３およびスプレーノズル５内の減圧機構１８によりスプレーノズル５の圧縮空気取り込み用のポート７に接続し、計量器タンク４の位置で薬液３の計量レベルを検出するレベルセンサー８を電磁弁操作用の制御器１４に接続して、構成されている。
【００１１】
第１電磁弁１１は大気に開放可能な電磁弁によって構成され、第２電磁弁１２は計量器タンク４の上下の配管に対して接続を切り換える三方弁により構成されている。また、レベルセンサー８は計量器タンク４の内部に組み込まれており、例えば磁石付きフロート１６と計量器タンク４の内部で高さ調整可能なリードスイッチ１７とで構成されている。
【００１２】
なお、スプレーノズル５は誘虫ランプ１９とともにガラス器２０の内部に組み込まれており、ガラス器２０の外側にノズル噴霧口を向けている。また、制御器１４は、前記のように、時間動作制御機能により第１電磁弁１１、第２電磁弁１２、第３電磁弁１３の切り換えや開閉を制御し、薬液３の計量・噴霧を所定の周期で実行するが、そのためにレベルセンサー８のリードスイッチ１７からの信号やスプレーノズル５のノズル噴霧口に配置されている滴下センサー２１からの信号を受けて動作する。
【００１３】
制御器１４は、誘虫ランプ１９を点灯して害虫を誘虫ランプ１９の近くに誘うとともに、時間動作制御機能により薬液３の計量・噴霧を所定の周期毎に実行する。図１のように、薬液３の計量時に、制御器１４は、第１電磁弁１１を開き、薬液タンク２内の薬液３を計量器タンク４内に引き込み可能な状態とし、次に、第２電磁弁１２を切り換えて、スプレーノズル５の薬液取り込み用のポート６を計量器タンク４の上部空間に開通させてから、第３電磁弁１３を開いて、圧縮空気源１０の圧縮空気９をスプレーノズル５のノズル噴霧口から噴射する。
【００１４】
スプレーノズル５のノズル噴霧口からの圧縮空気９の噴射このとき、霧吹きの原理によってスプレーノズル５内に負圧が発生し、この負圧が薬液取り込み用のポート６を介して薬液タンク２内に作用するため、薬液タンク２内の薬液３は計量器タンク４内に真空吸引によって引き込まれ、次第に増える。計量器タンク４内の薬液３が所定の計量レベルに達したときに、レベルセンサー８は制御器１４に信号を送る。このようにして、計量器タンク４内に所定の量の薬液３が供給され、薬液３の計量動作を終了する。
【００１５】
計量動作の終了後に、制御器１４は、第１電磁弁１１を閉じ、薬液タンク２と計量器タンク４とを不通とし、計量器タンク４内への薬液３の引き込みを停止し、この時点以後、スプレーノズル５内に発生する負圧により、計量器タンク４の底部から内部の計量後の薬液３をスプレーノズル５内に引き込み、スプレーノズル５のノズル噴霧口から所定量の薬液３を霧状として噴霧し、害虫を駆除する。
【００１６】
この噴霧動作のときに、計量器タンク４の内部が閉状態の第１電磁弁１１によって大気に開放しているから、計量器タンク４内の薬液３の減少にともなって、計量器タンク４の内部は空気によって置換される。計量器タンク４の内部の薬液３がなくなるまで、この薬液３の噴霧は継続される。噴霧の経過は滴下センサー２１からの信号の変化により検出できる。
【００１７】
なお、第１電磁弁１１や第２電磁弁１２はそれぞれ２つの単純な電磁開閉弁を組み合わせることによっても構成できる。そのように構成すると、電磁弁の数が増えるため、制御が複雑になるから、第１電磁弁１１や第２電磁弁１２について図１のような構成が実施する上で有利である。
【産業上の利用可能性】
【００１８】
本発明は、害虫の駆除のほか、その他の薬液例えば農薬の噴霧にも利用できる。スプレーノズル５は用途に応じて１または２以上設けられる。
【図面の簡単な説明】
【００１９】
【図１】本発明の定量噴霧装置１の配管構成図である。
【符号の説明】
【００２０】
１  定量噴霧装置
２  薬液タンク
３  薬液
４  計量器タンク
５  スプレーノズル
６  薬液取り込み用のポート
７  薬液取り込み用のポート
８  レベルセンサー
９  圧縮空気
１０  圧縮空気源
１１  第１電磁弁
１２  第２電磁弁
１３  第３電磁弁
１４  制御器
１５  エアーフイルタ
１６  磁石付きフロート
１７  リードスイッチ
１８  減圧機構
１９  誘虫ランプ
２０  ガラス器
２１  滴下センサー
【図１】
2006320799.tif 000003